(57)【要約】【課題】着側端末装置への接続処理時間を短縮する。【解決手段】ある通信網から他の通信網への接続の際、着側端末装置の在圏情報管理サーバへの在圏情報を取得する。この在圏情報取得時に、着側端末装置の着信関連情報や付加サービス情報を同時に取得し、接続要求信号と共に通知する。こうすることにより、着信側交換機から在圏情報管理サーバへの問合せを省略する。【効果】在圏情報管理サーバへのアクセスを複数回行わなくて済むので、サーバの負荷を軽減でき、かつ、着側端末装置への接続処理時間を短縮できる。【選択図】      図６
2008131369.tif 000002
【特許請求の範囲】
【請求項１】
発信側端末装置による、第１の通信網から第２の通信網への接続処理の際に、着信側端末装置の在圏情報を取得する交換装置であって、前記在圏情報の取得と同時に、前記着信側端末装置についての着信関連情報及び前記着信側端末装置の付加サービス情報の少なくとも一方を取得する着信側端末装置情報取得手段と、前記着信側端末装置情報取得手段によって取得した情報を、前記着信側端末装置への接続要求信号と共に該着信側端末装置に向けて通知する通知手段とを含むことを特徴とする交換装置。
【請求項２】
前記第１の通信網は、ＩＭＴ−２０００に準拠した移動通信網と無線ＬＡＮとのいずれか一方であり、
前記第２の通信網は、ＩＭＴ−２０００に準拠した移動通信網と無線ＬＡＮとの他方であることを特徴とする請求項１記載の交換装置。
【請求項３】
発信側端末装置による、第１の通信網から第２の通信網への接続処理の際に、着信側端末装置の在圏情報を取得する接続処理方法であって、前記在圏情報の取得と同時に、前記着信側端末装置についての着信関連情報及び前記着信側端末装置の付加サービス情報の少なくとも一方を取得する着信側端末装置情報取得ステップと、前記着信側端末装置情報取得ステップにおいて取得した情報を、前記着信側端末装置への接続要求信号と共に該着信側端末装置に向けて通知する通知ステップとを含むことを特徴とする接続処理方法。
【請求項４】
前記第１の通信網は、ＩＭＴ−２０００に準拠した移動通信網と無線ＬＡＮとのいずれか一方であり、
前記第２の通信網は、ＩＭＴ−２０００に準拠した移動通信網と無線ＬＡＮとの他方であることを特徴とする請求項３記載の接続処理方法。
【発明の詳細な説明】
【技術分野】
【０００１】
本発明は交換装置、接続処理方法に関し、特に発信側端末装置による、第１の通信網から第２の通信網への接続処理の際に、着信側端末装置の在圏情報を取得するための交換装置、接続処理方法に関する。
【背景技術】
【０００２】
図１３は、ＩＭＴ（International Mobile Telecommunication）−２０００に準拠した移動通信網（以下、ＩＭＴ網と称する）から無線ＬＡＮ（ＷＬＡＮ）への接続処理例を示す概略図である。ここでは、発信側の端末装置（以下、発側端末装置と呼ぶ）１から着信側の端末装置２（以下、着側端末装置と呼ぶ）に向けて接続処理を行う場合について説明する。着側端末装置２は、ＩＭＴ網、無線ＬＡＮ、の両方の通信網による着信が可能である。
【０００３】
同図には、発側端末装置１、発信側の交換機（以下、発側交換機と呼ぶ）２１、在圏情報管理サーバ２３、回線交換からパケット交換へメディアの変換を行う変換装置２５、関門ＳＩＰ（Session Initiation Protocol）サーバ２６、ＳＩＰサーバ２７、着側端末装置２、が示されている。
同図において、発側端末装置１から接続要求信号が送出されると、それを発側交換機２１が受取る（ステップＳ７０１）。ここでは、着側端末装置２が「無線ＬＡＮ」のエリアに在圏しているものとする。
【０００４】
通知接続要求信号を受けた発側交換機２１は、接続要求信号を、変換装置２５へ送信する（ステップＳ７０６）。変換装置２５ではプロトコルの変換が行われ、関門ＳＩＰサーバ２６から在圏情報管理サーバ２３へ、ＳＩＰサーバ２７についての問合せが行われる（ステップＳ７０７）。この問合せは、着信翻訳と呼ばれている。この着信翻訳は、接続先の網（ＩＭＴ網／ＷＬＡＮ網）が決定された後、在圏状態、在圏交換機アドレス、サービス契約状況など、を取得する処理である。
その後、関門ＳＩＰサーバ２６からＳＩＰサーバ２７を介して接続要求信号が送信され（ステップＳ７０８）、無線ＬＡＮによって着側端末装置２に対する着信が行われる。
【０００５】
以上の動作においては、関門ＳＩＰサーバ２６から在圏情報管理サーバ２３へ、ＳＩＰサーバ２７についての問合せが行われる。つまり、発側ではなく、接続先の網である着側の網すなわちＷＬＡＮ網において、在圏状態などの情報を取得する処理が行われる。上記とは逆に、ＷＬＡＮ網からＩＭＴ網への接続処理が行われる場合、同様に、接続先の網である着側の網すなわちＩＭＴ網において、在圏状態などの情報を取得する処理が行われる。このほか、異なる通信オペレータの網への接続処理が行われる場合も同様に、接続先の通信オペレータ網において、在圏状態などを取得する処理が行われる。
【０００６】
なお、着側の網において在圏状態などの情報を取得する点については、非特許文献１に記載されている。
【非特許文献１】3GPP TS 23.018 "3rd Generation Partnership Project;Technical Specification Group Core Network;Basic call handling;Technical realization (Release 1999)"
【発明の開示】
【発明が解決しようとする課題】
【０００７】
ところで、ＷＬＡＮ網からＩＭＴ網への接続等、異なる網への接続処理を行う場合、着信側端末装置への接続処理時間をできるだけ短縮するのが望ましい。
本発明は上述した従来技術の問題点を解決するためになされたものであり、その目的は着信側端末装置への接続処理時間を短縮することのできる交換装置、接続処理方法を提供することである。
【課題を解決するための手段】
【０００８】
本発明の請求項１による交換装置は、発信側端末装置による、第１の通信網から第２の通信網への接続処理の際に、着信側端末装置の在圏情報を取得する交換装置であって、前記在圏情報の取得と同時に、前記着信側端末装置についての着信関連情報及び前記着信側端末装置の付加サービス情報の少なくとも一方を取得する着信側端末装置情報取得手段と、前記着信側端末装置情報取得手段によって取得した情報を、前記着信側端末装置への接続要求信号と共に該着信側端末装置に向けて通知する通知手段とを含むことを特徴とする。このような構成によれば、着信側の関門交換機等から在圏情報管理サーバ装置への問合せを省略し、各装置の負荷やネットワークの負荷を軽減できる。
【０００９】
本発明の請求項２による交換装置は、請求項１において、前記第１の通信網は、ＩＭＴ−２０００に準拠した移動通信網と無線ＬＡＮとのいずれか一方であり、
前記第２の通信網は、ＩＭＴ−２０００に準拠した移動通信網と無線ＬＡＮとの他方であることを特徴とする。ＩＭＴ−２０００に準拠した移動通信網から無線ＬＡＮへの接続処理又はその逆の接続処理において、サーバ装置の負荷やネットワークの負荷を軽減できる。
【００１０】
本発明の請求項３による接続処理方法は、発信側端末装置による、第１の通信網から第２の通信網への接続処理の際に、着信側端末装置の在圏情報を取得する接続処理方法であって、前記在圏情報の取得と同時に、前記着信側端末装置についての着信関連情報及び前記着信側端末装置の付加サービス情報の少なくとも一方を取得する着信側端末装置情報取得ステップ（例えば図６中のステップＳ１０３ａ、Ｓ１０３ｂに対応）と、前記着信側端末装置情報取得ステップにおいて取得した情報を、前記着信側端末装置への接続要求信号と共に該着信側端末装置に向けて通知する通知ステップ（例えば図６中のステップＳ１０６に対応）とを含むことを特徴とする。このような方法によれば、着信側の関門交換機等から在圏情報管理サーバ装置への問合せを省略し、各装置の負荷やネットワークの負荷を軽減できる。
【００１１】
本発明の請求項４による接続処理方法は、請求項３において、前記第１の通信網は、ＩＭＴ−２０００に準拠した移動通信網と無線ＬＡＮとのいずれか一方であり、
前記第２の通信網は、ＩＭＴ−２０００に準拠した移動通信網と無線ＬＡＮとの他方であることを特徴とする。ＩＭＴ−２０００に準拠した移動通信網から無線ＬＡＮへの接続処理又はその逆の接続処理において、サーバ装置の負荷やネットワークの負荷を軽減できる。
【発明の効果】
【００１２】
以上説明したように本発明は、ある通信網から他の通信網への接続の際の着信側端末装置の在圏情報取得時に、着信側端末装置の着信関連情報や付加サービス情報を同時に取得して接続要求信号と共に通知することにより、着信側交換機から在圏情報管理サーバへの問合せを省略し、サーバ装置やネットワーク装置の負荷の軽減や接続時間の短縮が可能という効果がある。
【発明を実施するための最良の形態】
【００１３】
以下、本発明の実施の形態を、図面を参照して説明する。なお、以下の説明において参照する各図では、他の図と同等部分は同一符号によって示されている。
（ＩＭＴ−２０００に準拠した移動通信網から無線ＬＡＮへの接続処理例）
図１は、ＩＭＴ網から無線ＬＡＮ（ＷＬＡＮ）への接続処理例を示す概略図である。ここでは、発信側の端末装置（以下、発側端末装置と呼ぶ）１から着信側の端末装置２（以下、着側端末装置と呼ぶ）に向けて接続処理を行う場合について説明する。着側端末装置２は、ＩＭＴ網、無線ＬＡＮ、の両方の通信網による着信が可能である。
【００１４】
同図には、発側端末装置１、発信側の交換機（以下、発側交換機と呼ぶ）２１、在圏情報管理サーバ２２、在圏情報管理サーバ２３、在圏情報管理サーバ２４、回線交換からパケット交換へメディアの変換を行う変換装置２５、関門ＳＩＰ（Session Initiation Protocol）サーバ２６、ＳＩＰサーバ２７、着側端末装置２、が示されている。
【００１５】
同図において、発側端末装置１から接続要求信号が送出されると、それを発側交換機２１が受取る（ステップＳ７０１）。発側交換機２１は、在圏情報管理サーバ２２へ、着側端末装置２について、在圏問合せを行う（ステップＳ７０２）。この問合せを受けた在圏情報管理サーバ２２は、無線ＬＡＮについての在圏情報管理サーバ２３や、他の通信網についての在圏情報管理サーバ２４から在圏情報を取得する（ステップＳ７０３ａ、Ｓ７０３ｂ）。在圏情報を取得した在圏情報管理サーバ２２は、取得した情報を元に、転送先ドメインを決定する（ステップＳ７０４）。そして、在圏情報管理サーバ２２は、決定した転送先ドメインを発側交換機２１へ通知する（ステップＳ７０５）。ここでは、転送先ドメインを「無線ＬＡＮ」に決定したものとする。
【００１６】
在圏情報管理サーバ２２から転送先ドメインの通知を受けた発側交換機２１は、接続要求信号を、変換装置２５へ送信する（ステップＳ７０６）。変換装置２５ではプロトコルの変換が行われ、関門ＳＩＰサーバ２６から在圏情報管理サーバ２３へ、ＳＩＰサーバ２７についての問合せが行われる（ステップＳ７０７）。この問合せは、着信翻訳と呼ばれている。この着信翻訳は、接続先の網（ＩＭＴ網／ＷＬＡＮ網）が決定された後、在圏状態、在圏交換機アドレス、サービス契約状況など、を取得する処理である。
その後、関門ＳＩＰサーバ２６からＳＩＰサーバ２７を介して接続要求信号が送信され（ステップＳ７０８）、無線ＬＡＮによって着側端末装置２に対する着信が行われる。
【００１７】
以上の動作における、各装置間の信号授受について図２を参照して説明する。同図において、発側端末装置１から接続要求信号が送出されると、それを発側交換機２１が受取る（ステップＳ７０１）。発側交換機２１は、在圏情報管理サーバ２２へ、着側端末装置２について、在圏問合せを行う（ステップＳ７０２）。この問合せを受けた在圏情報管理サーバ２２は、着側端末装置のユーザについて、契約情報を確認し、複数のネットワークサービスに契約している場合は、他のネットワークの在圏確認を行う（ステップＳ７０３）。
【００１８】
このため、在圏情報管理サーバ２２は、無線ＬＡＮについての在圏情報管理サーバ２３や、他の通信網についての在圏情報管理サーバ２４へ、在圏問合せを送出する（ステップＳ７０３ａ１、Ｓ７０３ｂ１）。そして、在圏問合せ応答を受取る（ステップＳ７０３ａ２、Ｓ７０３ｂ２）。ここでは、在圏情報管理サーバ２３からの在圏問合せ応答が「在圏中」を示し、在圏情報管理サーバ２４からの在圏問合せ応答が「非在圏中」を示したものとする。
【００１９】
このような在圏情報を取得した在圏情報管理サーバ２２は、取得した情報ならびに着信側ユーザが設定した着信ネットワーク優先度を元に、転送先ドメイン（すなわち着信先ネットワーク）を決定する（ステップＳ７０４）。本例では、無線ＬＡＮへ接続すると決定したものとする。在圏情報管理サーバ２２は、決定した転送先ドメインを発側交換機２１へ通知する（ステップＳ７０５）。
【００２０】
在圏情報管理サーバ２２から転送先ドメインの通知を受けた発側交換機２１は、関門ＳＩＰサーバ２６に向けて、接続要求信号を送信する（ステップＳ７０６）。この接続要求信号を受信した関門ＳＩＰサーバ２６は、着信側ユーザの収容されているＳＩＰサーバを問合せる（ステップＳ７０７ａ）。このため、関門ＳＩＰサーバ２６は、在圏情報管理サーバ２３へ、ＳＩＰサーバ２７についての在圏問合せを送出する（ステップＳ７０７ｂ）。
【００２１】
この問合せを受けた在圏情報管理サーバ２３は、在圏中である旨、および、ＳＩＰサーバホスト名を応答する（ステップＳ７０７ｃ）。
その後、関門ＳＩＰサーバ２６は、上記応答によって通知されたＳＩＰサーバに対して接続要求信号を送信する（ステップＳ７０８ａ）。この接続要求信号は、ＳＩＰサーバ２７を介して着側端末装置２に向けて送信される（ステップＳ７０８ｂ）。
【００２２】
（無線ＬＡＮからＩＭＴ−２０００に準拠した移動通信網への接続処理例）
また、図３は、無線ＬＡＮからＩＭＴ−２０００に準拠した移動通信網への接続処理例を示す概略図である。ここでは、図１の場合と同様に、発側端末装置１から着側端末装置２に向けて接続処理を行う場合について説明する。着側端末装置２は、ＩＭＴ網、無線ＬＡＮ、の両方の通信網による着信が可能である。同図には、発側の端末装置１、発信側のＳＩＰサーバ（以下、発側ＳＩＰサーバと呼ぶ）３１、在圏情報管理サーバ２３、在圏情報管理サーバ２２、留守番電話サービス等の付加サービスについての制御を行う付加サービス制御サーバ２９、在圏情報管理サーバ２４、変換装置２５、関門交換機２８、着信側の交換機（以下、着側交換機と呼ぶ）２８ａ、着側の端末装置２、が示されている。
【００２３】
同図において、発側端末装置１から接続要求信号が送出されると、それを発側ＳＩＰサーバ３１が受取る（ステップＳ９０１）。発側ＳＩＰサーバ３１は、在圏情報管理サーバ２３へ、着側端末装置２について、在圏問合せを行う（ステップＳ９０２）。この問合せを受けた在圏情報管理サーバ２３は、ＩＭＴ網についての在圏情報管理サーバ２２や、他の通信網についての在圏情報管理サーバ２４から在圏情報を取得する（ステップＳ９０３ａ、Ｓ９０３ｂ）。在圏情報を取得した在圏情報管理サーバ２３は、取得した情報を元に、転送先ドメインを決定する（ステップＳ９０４）。そして、在圏情報管理サーバ２３は、決定した転送先ドメインを発側ＳＩＰサーバ３１へ通知する（ステップＳ９０５）。ここでは、転送先ドメインを「ＩＭＴ網」に決定したものとする。
【００２４】
在圏情報管理サーバ２３から転送先ドメインの通知を受けた発側ＳＩＰサーバ３１は、接続要求信号を、変換装置２５へ送信する（ステップＳ９０６ａ）。変換装置２５ではプロトコルの変換が行われ、プロトコル変換後の接続要求信号が関門交換機２８へ送信される（ステップＳ９０６ｂ）。変換装置２５から接続要求信号を受信した関門交換機２８は、在圏情報管理サーバ２２へ、着側端末装置２の在圏している交換機についての問合せが行われる（ステップＳ９０７）。
【００２５】
ここで、必要に応じて、関門交換機２８から付加サービス制御サーバ２９に向けて、付加サービス起動指示が送信される（ステップＳ９０８）。これにより、留守番電話サービス等の付加サービスが起動される。
その後、関門交換機２８から接続要求信号が送信され（ステップＳ９０９ａ）、着側交換機２８ａを介して着側端末装置２に対する着信が行われる（ステップＳ９０９ｂ）。
【００２６】
以上の動作における、各装置間の信号授受について図４及び図５を参照して説明する。図４において、発側端末装置１から接続要求信号が送出されると、それを発側ＳＩＰサーバ３１が受取る（ステップＳ９０１）。発側ＳＩＰサーバ３１は、在圏情報管理サーバ２３へ、着側端末装置２について、在圏問合せを行う（ステップＳ９０２）。この問合せを受けた在圏情報管理サーバ２３は、着側端末装置のユーザについて、契約情報を確認し、複数のネットワークサービスに契約している場合は、他のネットワークの在圏確認を行う（ステップＳ９０３）。
【００２７】
このため、在圏情報管理サーバ２３は、ＩＭＴ網についての在圏情報管理サーバ２２や、他の通信網についての在圏情報管理サーバ２４へ、在圏問合せを送出する（ステップＳ９０３ａ１、Ｓ９０３ｂ１）。そして、在圏問合せ応答を受取る（ステップＳ９０３ａ２、Ｓ９０３ｂ２）。ここでは、在圏情報管理サーバ２２からの在圏問合せ応答が「在圏中」を示し、在圏情報管理サーバ２４からの在圏問合せ応答が「非在圏中」を示したものとする。
【００２８】
このような在圏情報を取得した在圏情報管理サーバ２３は、取得した情報ならびに着信側ユーザが設定した着信ネットワーク優先度を元に、転送先ドメイン（すなわち着信先ネットワーク）を決定する（ステップＳ９０４）。本例では、ＩＭＴ網へ接続すると決定したものとする。在圏情報管理サーバ２３は、決定した転送先ドメインを発側交換機２１へ通知する（ステップＳ９０５）。
【００２９】
在圏情報管理サーバ２３から転送先ドメインの通知を受けた発側ＳＩＰサーバ３１は、関門交換機２８に向けて、接続要求信号を送信する（ステップＳ９０６）。この接続要求信号を受信した関門交換機２８は、着信側ユーザの収容されている交換機を問合せる（ステップＳ９０７ａ）。このため、関門交換機２８は、在圏情報管理サーバ２２へ、着側交換機２８ａについての在圏問合せを送出する（ステップＳ９０７ｂ）。
【００３０】
この問合せを受けた在圏情報管理サーバ２２は、在圏中である旨、および、場合により付加サービス情報を応答する（ステップＳ９０７ｃ）。関門交換機２８は、上記応答によって付加サービス情報が通知された場合、付加サービス制御サーバへの問合せ実行に移行する（ステップＳ９０８ａ）。
図５に移行し、関門交換機２８から付加サービス制御サーバ２９に向けて、付加サービス起動指示が送信される（ステップＳ９０８ｂ）。これにより、留守番電話サービス等の付加サービスが起動される。
【００３１】
その後、関門交換機２８から接続要求信号が送信され（ステップＳ９０９ａ）、着側交換機２８ａを介して着側端末装置２に対する着信が行われる（ステップＳ９０９ｂ）。
上述した接続処理例においては、ドメイン選択処理を行う場合、１回の接続シーケンス中で、着信ユーザの在圏情報を管理しているサーバへのアクセスが２回行われる。このため、着側端末装置への接続時間が長くかかる。以下、接続処理時間を短縮するための処理例について説明する。
【００３２】
（ＩＭＴ−２０００に準拠した移動通信網から無線ＬＡＮへの別の接続処理例）
図６は、本発明の接続処理方法を利用して、ＩＭＴ−２０００に準拠した移動通信網から無線ＬＡＮへの接続処理を行う場合の例を示す概略図である。ここでは、発側端末装置１から着側端末装置２に向けて接続処理を行う場合について説明する。着側端末装置２は、ＩＭＴ網、無線ＬＡＮ、の両方の通信網による着信が可能である。
【００３３】
同図には、発側端末装置１、発側交換機２１、在圏情報管理サーバ２２、在圏情報管理サーバ２３、在圏情報管理サーバ２４、変換装置２５、関門ＳＩＰサーバ２６、ＳＩＰサーバ２７、関門交換機２８、着側の端末装置２、が示されている。
同図において、発側端末装置１から接続要求信号が送出されると、それを発側交換機２１が受取る（ステップＳ１０１）。発側交換機２１は、在圏情報管理サーバ２２へ、着側端末装置２について、在圏問合せを行う（ステップＳ１０２）。この問合せを受けた在圏情報管理サーバ２２は、無線ＬＡＮについての在圏情報管理サーバ２３や、他の通信網についての在圏情報管理サーバ２４から在圏情報を取得する（ステップＳ１０３ａ、Ｓ１０３ｂ）。この在圏情報を取得する際、本例では、付加サービス情報や着信側ＳＩＰサーバのアドレスも同時に取得する。これにより、在圏情報管理サーバへのアクセスを複数回行わなくて済む。
【００３４】
在圏情報と共に付加サービス情報や着信側ＳＩＰサーバのアドレスを取得した在圏情報管理サーバ２２は、取得した情報を元に、転送先ドメインを決定する（ステップＳ１０４）。そして、在圏情報管理サーバ２２は、決定した転送先ドメインを発側交換機２１へ通知する（ステップＳ１０５）。ここでは、転送先ドメインを「無線ＬＡＮ」に決定したものとする。この通知の際、上記のように取得した付加サービス情報や着信側ＳＩＰサーバのアドレスも発側交換機２１へ通知する。
【００３５】
在圏情報管理サーバ２２から転送先ドメインの他に、付加サービス情報や着信側ＳＩＰサーバのアドレスの通知を受けた発側交換機２１は、それらの情報を含む接続要求信号を、変換装置２５へ送信する（ステップＳ１０６）。変換装置２５では、プロトコルの変換が行われる。そして、変換装置２５は、着信関連情報として設定されているＳＩＰサーバアドレスへ接続要求信号を送信する（ステップＳ１０７）。この接続要求信号は関門ＳＩＰサーバ２６を介して送信され（ステップＳ１０８）、ＳＩＰサーバ２７から着側端末装置２に無線ＬＡＮによる接続処理が行われる。
【００３６】
以上の動作における、各装置間の信号授受について図７及び図８を参照して説明する。図７において、発側端末装置１から接続要求信号が送出されると、それを発側交換機２１が受取る（ステップＳ１０１）。発側交換機２１は、在圏情報管理サーバ２２へ、着側端末装置２について、在圏問合せを行う（ステップＳ１０２）。この問合せを受けた在圏情報管理サーバ２２は、着側端末装置のユーザについて、契約情報を確認し、複数のネットワークサービスに契約している場合は、他のネットワークの在圏確認を行う（ステップＳ１０３）。
【００３７】
このため、在圏情報管理サーバ２２は、無線ＬＡＮについての在圏情報管理サーバ２３や、他の通信網についての在圏情報管理サーバ２４へ、在圏問合せを送出する（ステップＳ１０３ａ１、Ｓ１０３ｂ１）。そして、在圏問合せ応答を受取る（ステップＳ１０３ａ２、Ｓ１０３ｂ２）。ここでは、在圏情報管理サーバ２３からの在圏問合せ応答が「在圏中」を示し、在圏情報管理サーバ２４からの在圏問合せ応答が「非在圏中」を示したものとする。在圏情報が応答として送信される際、本例では、付加サービス情報や着信側ＳＩＰサーバのアドレスも同時に送信される。
【００３８】
在圏情報と共に付加サービス情報や着信側ＳＩＰサーバのアドレスを取得した在圏情報管理サーバ２２は、取得した情報ならびに着信側ユーザが設定した着信ネットワーク優先度を元に、転送先ドメイン（すなわち着信先ネットワーク）を決定する（ステップＳ１０４）。そして、在圏情報管理サーバ２２は、決定した転送先ドメイン及び取得した上記情報を発側交換機２１へ通知する（ステップＳ１０５）。ここでは、転送先ドメインを「無線ＬＡＮ」に決定し、この通知の際、上記のように取得した付加サービス情報や着信側ＳＩＰサーバのアドレスも発側交換機２１へ通知する。
【００３９】
在圏情報管理サーバ２２から転送先ドメインの他に、付加サービス情報や着信側ＳＩＰサーバのアドレスの通知を受けた発側交換機２１は、それらの情報を含む接続要求信号を、関門ＳＩＰサーバ２６へ向けて送信する（ステップＳ１０６）。この接続要求信号を受信した関門ＳＩＰサーバ２６は、付加サービス情報や着信側ＳＩＰサーバのアドレスを取得できたことになるので、在圏情報管理サーバ２３へ再度アクセスする必要は無い。つまり、本例では、図２を参照して説明したステップＳ７０７ａからＳ７０７ｃまでの処理を省略することができる（図７中の破線部分）。
【００４０】
図８に移行し、関門ＳＩＰサーバ２６は、上記応答によって通知されたＳＩＰサーバに対して接続要求信号を送信する（ステップＳ１０８ａ）。この接続要求信号は、ＳＩＰサーバ２７を介して着側端末装置２に向けて送信される（ステップＳ１０８ｂ）。
以上のように、在圏情報管理サーバ２３へのアクセスを複数回行う必要が無いので、その分だけ接続処理時間を短縮することができる。
【００４１】
（無線ＬＡＮからＩＭＴ−２０００に準拠した移動通信網への接続処理）
また、図９は、本発明の接続処理方法を利用して、無線ＬＡＮからＩＭＴ−２０００に準拠した移動通信網への接続処理例を示す概略図である。ここでは、図６の場合と同様に、発側端末装置１から着側端末装置２に向けて接続処理を行う場合について説明する。着側端末装置２は、ＩＭＴ網、無線ＬＡＮ、の両方の通信網による着信が可能である。同図には、発側の端末装置１、発側ＳＩＰサーバ３１、在圏情報管理サーバ２３、在圏情報管理サーバ２２、留守番電話サービス等の付加サービスについての制御を行う付加サービス制御サーバ２９、在圏情報管理サーバ２４、変換装置２５、関門交換機２８、着側交換機２８ａ、着側の端末装置２、が示されている。
【００４２】
同図において、発側端末装置１から接続要求信号が送出されると、それを発側ＳＩＰサーバ３１が受取る（ステップＳ３０１）。発側ＳＩＰサーバ３１は、在圏情報管理サーバ２３へ、着側端末装置２について、在圏問合せを行う（ステップＳ３０２）。この問合せを受けた在圏情報管理サーバ２３は、ＩＭＴ網についての在圏情報管理サーバ２２や、他の通信網についての在圏情報管理サーバ２４から在圏情報を取得する（ステップＳ３０３ａ、Ｓ３０３ｂ）。この在圏情報を取得する際、本例では、付加サービス情報や着信関連情報も同時に取得する。これにより、在圏情報管理サーバへのアクセスを複数回行わなくて済む。
【００４３】
在圏情報と共に付加サービス情報や着信関連情報を取得した在圏情報管理サーバ２３は、取得した情報を元に、転送先ドメインを決定する（ステップＳ３０４）。そして、在圏情報管理サーバ２３は、決定した転送先ドメインを発側ＳＩＰサーバ３１へ通知する（ステップＳ３０５）。ここでは、転送先ドメインを「ＩＭＴ網」に決定したものとする。この通知の際、上記のように取得した付加サービス情報や着信関連情報も発側交換機２１へ通知する。
【００４４】
在圏情報管理サーバ２３から転送先ドメインの他に、付加サービス情報や着信関連情報の通知を受けた発側交換機２１は、それらの情報を含む接続要求信号を、変換装置２５へ送信する（ステップＳ３０６）。変換装置２５ではプロトコルの変換が行われ、プロトコル変換後の接続要求信号が関門交換機２８へ送信される（ステップＳ３０７）。
ここで、必要に応じて、付加サービスの起動が実施される（ステップＳ３０８）。関門交換機２８から付加サービス制御サーバ２９に向けて、付加サービス起動指示が送信される（ステップＳ３０９）。これにより、留守番電話サービス等の付加サービスが起動される。
【００４５】
その後、関門交換機２８から接続要求信号が送信され、着側交換機２８ａを介して着側端末装置２に対する着信が行われる（ステップＳ３１０）。
以上の動作における、各装置間の信号授受について図１０及び図１１を参照して説明する。図１０において、発側端末装置１から接続要求信号が送出されると、それを発側ＳＩＰサーバ３１が受取る（ステップＳ３０１）。発側ＳＩＰサーバ３１は、在圏情報管理サーバ２３へ、着側端末装置２について、在圏問合せを行う（ステップＳ３０２）。この問合せを受けた在圏情報管理サーバ２３は、着側端末装置のユーザについて、契約情報を確認し、複数のネットワークサービスに契約している場合は、他のネットワークの在圏確認を行う（ステップＳ３０３）。
【００４６】
このため、在圏情報管理サーバ２３は、ＩＭＴ網についての在圏情報管理サーバ２２や、他の通信網についての在圏情報管理サーバ２４へ、在圏問合せを送出する（ステップＳ３０３ａ１、Ｓ３０３ｂ１）。そして、在圏問合せ応答を受取る（ステップＳ３０３ａ２、Ｓ３０３ｂ２）。ここでは、在圏情報管理サーバ２２からの在圏問合せ応答が「在圏中」を示し、在圏情報管理サーバ２４からの在圏問合せ応答が「非在圏中」を示したものとする。在圏情報が応答として送信される際、本例では、付加サービス情報や着信関連情報も同時に取得する。これにより、在圏情報管理サーバへのアクセスを複数回行わなくて済む。
【００４７】
在圏情報と共に付加サービス情報や着信関連情報を取得した在圏情報管理サーバ２３は、取得した情報ならびに着信側ユーザが設定した着信ネットワーク優先度を元に、転送先ドメイン（すなわち着信先ネットワーク）を決定する（ステップＳ３０４）。そして、在圏情報管理サーバ２３は、決定した転送先ドメイン及び取得した上記情報を発側ＳＩＰサーバ３１へ通知する（ステップＳ３０５）。ここでは、転送先ドメインを「ＩＭＴ網」に決定し、この通知の際、上記のように取得した付加サービス情報や着信関連情報も発側交換機２１へ通知する。
【００４８】
在圏情報管理サーバ２３から転送先ドメインの他に、付加サービス情報や着信関連情報の通知を受けた発側交換機２１は、それらの情報を含む接続要求信号を、関門交換機２８へ向けて送信する（ステップＳ３０６）。この接続要求信号を受信した関門ＳＩＰサーバ２６は、付加サービス情報や着信関連情報を取得できたことになるので、在圏情報管理サーバ２２へ再度アクセスする必要は無い。つまり、本例では、図４を参照して説明したステップＳ９０７ａからＳ９０７ｃまでの処理を省略することができる（図１０中の破線部分）。
【００４９】
図１１に移行し、関門交換機２８は、付加サービス情報が通知されてきた場合は、付加サービスの起動を実施する（ステップＳ３０８）。関門交換機２８から付加サービス制御サーバ２９に向けて、付加サービス起動指示が送信される（ステップＳ３０９ａ）。これにより、留守番電話サービス等の付加サービスが起動される（ステップＳ３０９ｂ）。
その後、関門交換機２８から接続要求信号が送信され、着側交換機２８ａを介して着側端末装置２に対する着信が行われる（ステップＳ３１０ａ、Ｓ３１０ｂ）。
以上のように、在圏情報管理サーバ２２へのアクセスを複数回行う必要が無いので、その分だけ接続処理時間を短縮することができる。
【００５０】
（交換装置）
上述した接続処理方法において、発側交換機（つまり交換装置）２１は、ＣＰＵ、記憶部、入出力部等を有するコンピュータを用いて実現することができる。本発明において、この発側交換機２１は、以下の機能を有している。すなわち発信側端末装置による、第１の通信網から第２の通信網への接続処理の際に、着側端末装置の在圏情報を取得する交換機であり、図１２に示されているように、上記在圏情報の取得と同時に、上記着側端末装置についての着信関連情報及び上記着側端末装置の付加サービス情報の少なくとも一方を取得する着側端末装置情報取得手段２１１と、上記着側端末装置情報取得手段２１１によって取得した情報を、上記着側端末装置への接続要求信号と共に該着側端末装置に向けて通知する通知手段２１２とを含んで構成されている。このような構成によれば、着側の関門交換機等から在圏情報管理サーバ装置への問合せを省略し、各装置の負荷やネットワークの負荷を軽減できる。
【００５１】
そして、例えば、上記第１の通信網は、ＩＭＴ−２０００に準拠した移動通信網と無線ＬＡＮとのいずれか一方であり、上記第２の通信網は、ＩＭＴ−２０００に準拠した移動通信網と無線ＬＡＮとの他方である。このような場合、ＩＭＴ−２０００に準拠した移動通信網から無線ＬＡＮへの接続処理又はその逆の接続処理において、サーバ装置の負荷やネットワークの負荷を軽減できる。
【産業上の利用可能性】
【００５２】
本発明は、着側端末装置が複数の通信網による着信が可能である場合において、発信側端末装置による、第１の通信網から第２の通信網への接続処理を行う際に、利用することができる。
【図面の簡単な説明】
【００５３】
【図１】ＩＭＴ−２０００に準拠した移動通信網から無線ＬＡＮへの接続処理例を示す概略図である。
【図２】図１中の各装置間の信号授受を示すシーケンス図である。
【図３】無線ＬＡＮからＩＭＴ−２０００に準拠した移動通信網への接続処理例を示す概略図である。
【図４】図３中の各装置間の信号授受を示すシーケンス図である。
【図５】図３中の各装置間の信号授受を示すシーケンス図である。
【図６】本発明の接続処理方法を利用して、ＩＭＴ−２０００に準拠した移動通信網から無線ＬＡＮへの接続処理を行う場合の例を示す概略図である。
【図７】図６中の各装置間の信号授受を示すシーケンス図である。
【図８】図６中の各装置間の信号授受を示すシーケンス図である。
【図９】本発明の接続処理方法を利用して、無線ＬＡＮからＩＭＴ−２０００に準拠した移動通信網への接続処理例を示す概略図である。
【図１０】図９中の各装置間の信号授受を示すシーケンス図である。
【図１１】図９中の各装置間の信号授受を示すシーケンス図である。
【図１２】図６及び図９中の発側交換機の機能構成例を示すブロック図である。
【図１３】ＩＭＴ−２０００に準拠した移動通信網から無線ＬＡＮへの接続処理例を示す概略図である。
【符号の説明】
【００５４】
１  発側端末装置
２  着側端末装置
２１  発側交換機
２２  在圏情報管理サーバ
２３  在圏情報管理サーバ
２４  在圏情報管理サーバ
２５  変換装置
２６  関門ＳＩＰサーバ
２７  ＳＩＰサーバ
２８ａ  着側交換機
２８  関門交換機
２９  付加サービス制御サーバ
３１  発側ＳＩＰサーバ
２１１  着信側端末装置情報取得手段
２１２  通知手段
【図１】
2008131369.tif 000003
【図２】
2008131369.tif 000004
【図３】
2008131369.tif 000005
【図４】
2008131369.tif 000006
【図５】
2008131369.tif 000007
【図６】
2008131369.tif 000008
【図７】
2008131369.tif 000009
【図８】
2008131369.tif 000010
【図９】
2008131369.tif 000011
【図１０】
2008131369.tif 000012
【図１１】
2008131369.tif 000013
【図１２】
2008131369.tif 000014
【図１３】
2008131369.tif 000015